(57)【要約】【課題】転写精度を向上させる磁気転写装置を提供することを目的とする。【解決手段】サーボ情報が記録されたマスタ媒体をスレーブ媒体に密着させ、外部磁界を印加することにより、サーボ情報をマスタ媒体からスレーブ媒体に転写する磁気転写装置であって、マスタ媒体からスレーブ媒体へのサーボ情報の転写が終了すると、マスタ媒体のみを所定の角度回転し、再度マスタ媒体のサーボ情報をスレーブ媒体に転写する再転写手段と、転写されたスレーブ媒体上のサーボ情報をトラック単位に再生し、サーボ情報の振幅値を所定値と比較する振幅値比較手段と、比較した結果、所定値より大きいサーボ情報の中からスレーブ媒体で使用するサーボ情報を選択するサーボ情報選択手段と、を備える構成である。【選択図】  図１
2004281007.tif 000002
【特許請求の範囲】
【請求項１】
サーボ情報が記録されたマスタ媒体をスレーブ媒体に密着させ、外部磁界を印加することにより、サーボ情報をマスタ媒体からスレーブ媒体に転写する磁気転写装置であって、
マスタ媒体からスレーブ媒体へのサーボ情報の転写が終了すると、マスタ媒体のみを所定の角度回転し、再度マスタ媒体のサーボ情報をスレーブ媒体に転写する再転写手段と、
転写されたスレーブ媒体上のサーボ情報をトラック単位に再生し、サーボ情報の振幅値を所定値と比較する振幅値比較手段と、
比較した結果、所定値より大きいサーボ情報の中からスレーブ媒体で使用するサーボ情報を選択するサーボ情報選択手段と、
を備えることを特徴とする磁気転写装置。
【請求項２】
サーボ情報が記録されたマスタ媒体をスレーブ媒体に密着させ、外部磁界を印加することにより、サーボ情報をマスタ媒体からスレーブ媒体に転写する磁気転写装置であって、
サーボ情報の位置が異なる複数のマスタ媒体と、
マスタ媒体からスレーブ媒体へのサーボ情報の転写が終了すると、マスタ媒体のみを交換し、再度マスタ媒体のサーボ情報をスレーブ媒体に転写する複数マスタ再転写手段と、
転写されたスレーブ媒体上のサーボ情報をトラック単位に再生し、サーボ情報の振幅値を所定値と比較する振幅値比較手段と、
比較した結果、所定値より大きいサーボ情報の中からスレーブ媒体で使用するサーボ情報を選択するサーボ情報選択手段と、
を備えることを特徴とする磁気転写装置。
【請求項３】
サーボ情報選択手段は、さらにサーボ情報のアドレス情報を再生し、読取りエラーの発生しないサーボ情報を選択することを特徴とする請求項１または請求項２記載の磁気転写装置。
【発明の詳細な説明】
【０００１】
【発明の属する技術分野】
本発明は、コンピュータの外部記憶装置等として広く採用されている磁気記憶装置に搭載されている磁気ディスク媒体へ所定のサーボ情報を転写する磁気転写装置に関する。
【０００２】
【従来の技術】
代表的な磁気ディスク装置であるハードディスクドライブは、トラック密度、線記録密度を増加させることにより面記録密度が増大している。トラック密度の増加傾向は、線記録密度の増加傾向を上回り、面記録密度向上を果たしている。
また、高記録密度を実現するために、磁気抵抗素子型ヘッド（ＭＲヘッド、ＧＭＲヘッド、ＴＭＲヘッド等）の幅狭いトラックを正確にトラッキングするためのヘッドのトラッキングサーボ技術も重要な役割を果たしている。
【０００３】
このようなトラッキングサーボ技術を用いたハードディスクドライブでは、ディスク媒体にトラッキング用のサーボアドレス情報（トラックデータ、セクタデータ）等のサーボ情報が記録されている。これらの信号の書き込み読み出しには高い精度が必要である。現在、ハードディスクドライブでは、ヘッド位置検出のレーザ測長器を組み込んだサーボライタによりディスク媒体にサーボ情報を書き込むフォーマティングが行われている。問題として、ヘッドを高精度に位置決めしながら多数のトラックに信号を書き込むのに時間がかかること、及びサーボライタに多額のコストがかかることが挙げられる。
【０００４】
そこで、フォーマティングをサーボライタではなく、サーボ情報が書き込まれたマスタ媒体とフォーマティングされる磁気ディスク媒体とを重ね合わせ、外部磁界を与えることによりマスタ媒体の情報を磁気ディスク媒体に一括転写する方法が行われるようになった。（  例えば特許文献１参照）
上記マスタ媒体を用いる転写法は、プリフォーマットする磁気ディスク媒体にマスタ媒体を密着した状態で外部磁界を供給することで磁気的な転写がなされ、短時間に所定のサーボ情報を有する磁気記録媒体を作製できるので製造工程の簡素化と低コスト化を図ることができる。
【０００５】
【特許文献１】
特開平７−７８３３７号公報
【０００６】
【発明が解決しようとする課題】
しかし、マスタ媒体を用いる転写法は、マスタ媒体自体の特性に起因するもの、例えばマスター媒体の形成時の磁気パターンの「ばらつき」等、またはマスタ媒体と製品となる磁気ディスク媒体との密着性に起因するものなどにより、転写された信号の品質に大きな影響を与えている。
【０００７】
図６に、従来例の信号の説明図を示す。
転写されたサーボ信号の中に、信号品質が悪いものがあらわれており、このまま、この磁気ディスク媒体を使用するとエラーを生じてしまう。このように、転写技術を用いて記録した場合、転写ムラなどの転写特有の問題点が発生する。
したがって、本発明の目的は、転写精度を向上させる磁気転写装置を提供することにある。
【０００８】
【課題を解決するための手段】
サーボ情報が記録されたマスタ媒体をスレーブ媒体に密着させ、外部磁界を印加することにより、サーボ情報をマスタ媒体からスレーブ媒体に転写する磁気転写装置であって、マスタ媒体からスレーブ媒体へのサーボ情報の転写が終了すると、マスタ媒体のみを所定の角度回転し、再度マスタ媒体のサーボ情報をスレーブ媒体に転写する再転写手段と、転写されたスレーブ媒体上のサーボ情報をトラック単位に再生し、サーボ情報の振幅値を所定値と比較する振幅値比較手段と、比較した結果、所定値より大きいサーボ情報の中からスレーブ媒体で使用するサーボ情報を選択するサーボ情報選択手段と、を備える構成である。
【０００９】
この構成により、複数の転写結果の中から、転写ムラにより発生した劣化信号を有するサーボ情報を選択することなく、正常な信号を有するサーボ情報を選択することができるので、より精度が向上したスレーブ媒体の製造が可能となる。また、サーボ情報が記録されたマスタ媒体をスレーブ媒体に密着させ、外部磁界を印加することにより、サーボ情報をマスタ媒体からスレーブ媒体に転写する磁気転写装置であって、サーボ情報の位置が異なる複数のマスタ媒体と、マスタ媒体からスレーブ媒体へのサーボ情報の転写が終了すると、マスタ媒体のみを交換し、再度マスタ媒体のサーボ情報をスレーブ媒体に転写する複数マスタ再転写手段と、転写されたスレーブ媒体上のサーボ情報をトラック単位に再生し、サーボ情報の振幅値を所定値と比較する振幅値比較手段と、比較した結果、所定値より大きいサーボ情報の中からスレーブ媒体で使用するサーボ情報を選択するサーボ情報選択手段と、を備える構成である。
【００１０】
この構成により、複数の転写結果の中から、転写ムラにより発生した劣化信号を有するサーボ情報を選択することなく、正常な信号を有するサーボ情報を選択することができるので、より精度が向上したスレーブ媒体の製造が可能となる。
また、サーボ情報選択手段は、さらにサーボ情報のアドレス情報を再生し、読取りエラーの発生しないサーボ情報を選択する構成である。
【００１１】
この構成により、複数の転写結果の中の信号レベルが正常なものについて、さらにアドレス情報の正常な読み取りが可能かどうかを判断するので、より精度が向上したスレーブ媒体の製造が可能となる。
【００１２】
【発明の実施の形態】
図１に実施例の磁気転写装置の構成図に示す。
磁気転写装置１は、媒体回転交換部２と媒体部３と転写磁気部４と、再生信号選択部５と、回転交換指示部６となる。
媒体回転交換部２は、回転交換指示部６の指示により、マスタ媒体１１とスレーブ媒体１２を密着させ、所定方向に回転させる。また、マスタ媒体１１のみをスレーブ媒体１２に対して所定の角度回転させることも行う。また、マスタ媒体１１の交換も行う。
【００１３】
媒体部３は、マスタ媒体１１とスレーブ媒体１２とからなる。
転写磁気部４は、図３に示すように、ポジショナ１３で磁石１４をマスタ媒体１  １の上側に所定の隙間をもって近づけ、Ｘ軸方向に磁石１４が移動することにより回転するマスタ媒体１１とスレーブ媒体１２に対し外部磁界を加え、マスタ媒体１１によって形成されているサーボ情報をスレーブ媒体１２に転写する。
【００１４】
再生信号選択部５は、転写終了後、スレーブ媒体１２の信号を再生して、トラック単位にその信号の振幅値を確認し、サーボ情報のデータを復元する。そして、所定の基準に従って、サーボ情報を選択する。
所定の基準とは、信号強度、転写する回を「１」から順番に数えた場合の最も若い番号などである。
【００１５】
回転交換指示部６は、媒体回転交換部２に回転指示と、転写が完了したときに、マスタ媒体１１のみをスレーブ媒体１２に対して所定の角度回転することを指示や転写マスタ媒体１１の交換指示を行う。
第２図に実施例の磁気転写装置の処理の流れ図を示す。
２回の転写を例として説明を行う。
【００１６】
最初にマスタ媒体１１と転写される磁気記録媒体であるスレーブ媒体１２を媒体回転交換部２にセットする（Ｓ１１ステップ）  。
次にマスタ媒体１１からスレーブ媒体１２への第一回目の転写を行う（Ｓ１２ステップ）  。
図３に磁気転写の説明図を示す。
【００１７】
磁気転写の処理は、サーボ情報を有するマスタ媒体１１に磁気ディスク媒体をスレーブ媒体１２として密着させ、所定の回転数で、同じ方向に回転させる。次に転写磁気部４のポジショナ１３で磁石１４をＸ軸方向に移動することで、マスタ媒体１１とスレーブ媒体１２に対し、外部磁界が加わり、マスタ媒体のサーボ情報が、スレーブ媒体１２に転写される。
【００１８】
次に第一回目の転写が終了すると、マスタ媒体１１をスレーブ媒体１２から離し、マスタ媒体１１のみを所定角度回転させる。
次に、再度マスタ媒体１１をスレーブ媒体１２に密着させる。そして、第二回目の転写を行う（Ｓ１３ステップ）  。
また、同一のマスタ媒体を所定角度回転させるではなく、第一回目の転写が終了したとき、マスタ媒体１１をスレーブ媒体１２から離し、第一回目の転写に使用したマスタ媒体１１のサーボ情報の位置と異なる位置に形成されているマスタ媒体１１と交換する方法もある。
【００１９】
また、マスタ媒体の交換方式の別の例として次のようなものがある。
まず、複数のマスタ媒体１１について、予めスレーブ媒体１２へサーボ情報を転写して、そのサーボ信号を測定し、トラック単位の転写ムラの特性を取得しておく。次に、その複数枚のマスタ媒体１１の中から、同一トラックについて転写ムラが発生しない組合せのマスタ媒体１１を選ぶ。そしてこの組合せの複数のマスタ媒体１１を転写用のマスタ媒体１１として使用する。この方法により、より精度の高い転写が可能となる。
【００２０】
図４に２回の転写処理の説明図を示す。
第一回目の転写により、図４のａに示すマスタ媒体１１からｂに示すスレーブ媒体１２にサーボ情報が転写される。
第二回目の転写のときには、マスタ媒体１１は、ｃに示すようにａに示すマスタ媒体１１より所定角度回転したものとなっている。そして、そのマスタ媒体１１を転写すると、ｄに示すように、点線で示す第一回目の転写と実線で示す第二回目の転写が、同一スレーブ媒体１２上に転写された状態となる。
【００２１】
転写終了すると、トラック番号であるＮに１をセットする（Ｓ１４ステップ）  。
次に、マスタ媒体１１をスレーブ媒体１２から離し、スレーブ媒体１２に磁気ヘッド（  図示せず）を近づけ、トラック番号Ｎのサーボ信号を読み出し、振幅値の測定を行う（Ｓ１５ステップ）  。
例えばサーボアドレス情報の信号の振幅値を測定する。
【００２２】
サーボ信号を読み出すときに、第一回目に転写したサーボ信号か第二回目に転写したサーボ信号かの識別は、例えばスレーブ媒体に予め位置検知用のマークを付加することで、そのマークを検知してから、最初のサーボ信号を第一回目、それ以降を第二回目とすることで、識別することができる。
次に、第一回目のサーボ信号１の測定結果を取得する（Ｓ１６ステップ）  。
【００２３】
次にその振幅値を所定値と比較する（Ｓ１７ステップ）  。
そして振幅値が所定の値より大きいときには、信号良とし、サーボ信号１を採用し、（Ｓ１８ステップ）  第二回目のサーボ信号２を消去する。
このとき、サーボ信号の選択方式としては、転写した回の番号の若いものを選択する方式としている。
【００２４】
第一回目の振幅値が、所定の振幅値より大きくなければ、第二回目のサーボ信号２の測定結果を取得する（Ｓ１９ステップ）  。
次に、第二回目のサーボ信号２の振幅値が所定の振幅値より大きいか否かを確認する（Ｓ２０ステップ）  。
振幅値が所定値より大きいときには、第二回目の信号を選択し、第一のサーボ情報１を消去する（Ｓ２１ステップ）  。両者とも所定レベルでなければ、エラー通知を行う（Ｓ２２ステップ）  。
【００２５】
Ｎがトラックの最終かをチェックする（Ｓ２３ステップ）  。
最終でなければ、Ｎ＝Ｎ＋１とし、ステップＳ１５に戻り処理を繰り返す。
Ｎが最終のときには、処理を終了する。
図５に信号選別処理の説明図を示す。
サーボ信号転写用マスタ媒体を互いに異なる角度で、２回の転写を行うと図５のようにサーボ信号が時間領域で見て異なる位置に記録される。ここで転写ムラによって転写第一回目のサーボ信号１が劣化していた場合、転写第二回目のサーボ信号２を採用する。
【００２６】
複数回の転写の場合には、さらに第二のサーボ信号も劣化していたならば、それ以降のサーボ信号を用いることにより、そのトラックのサーボ信号が抜けてしまって位置情報が得られなくなることを防ぐことができる。また、複数回の転写の場合には、振幅値が所定レベルを超えているサーボ信号が複数取得することもあるが、その場合は、例えば転写回数が最も若い番号のものを採用することで選別する。
【００２７】
また、振幅値が所定値より大きい場合には、さらにサーボ情報のアドレス情報、すなわちグレイコードを読取り、データが正常に読取れるかどうかを判定し、エラーの発生するものは、サーボ情報として選択しないことで、転写ムラを精度く検出できるので、より転写精度を向上させることができる。
また、予めマスタ媒体１１の特性を測定しておき、その特性に応じてマスタ媒体１１を接触させる際の押し付け圧力、印加する磁束密度等の着磁条件を所定角度の回転毎に変更して転写することで、転写精度を向上させることもできる。
【００２８】
【発明の効果】
本発明により、磁気ディスク媒体の転写ムラによる不良製品の出る率を下げ、コストダウンを図ることができる。
【図面の簡単な説明】
【図１】実施例の磁気転写装置の構成図
【図２】実施例の磁気転写装置の処理の流れ図
【図３】磁気転写の説明図
【図４】２回の転写処理の説明図
【図５】信号選別処理の説明図
【図６】従来例の信号の説明図
【符号の説明】
１        磁気転写装置
２        媒体回転交換部
３        媒体部
４        転写磁気部
５        再生信号選択部
６        回転交換指示部
１１      マスタ媒体
１２      スレーブ媒体
１３      ポジショナ
１４      磁石
【図１】
2004281007.tif 000003
【図２】
2004281007.tif 000004
【図３】
2004281007.tif 000005
【図４】
2004281007.tif 000006
【図５】
2004281007.tif 000007
【図６】
2004281007.tif 000008